(57)【要約】      （修正有）【課題】二枚繰り出しが生じない新規構造の名刺入れを提供する。【解決手段】積層状態の名刺を収納する扁平箱型の収納ケース１と、積層名刺群をケース内上方へ押し上げる押上機構と、ケース前壁部１３に繰り出し孔を設けると共に、前記最上面の名刺をケース外方から操作することによって、前記最上面の名刺をケース外に繰り出す繰り出し機構とを備える。収納ケース１の下面板を開閉構造に形成し、繰り出し孔を上面板１１の裏面と一致させ、繰り出し機構を、上面板１１に後壁部から前壁方向で、且つ後壁部を適宜範囲抉ってなる抉り空間１１３を備えた操作孔部１１１と、裏面に操作孔部内を移動可能に納まり、且つ抉り空間１１３内に位置して装着時に上面板裏面より名刺厚以下の突出となる係止爪３２を備えた突出部３１を設け、上面板表面に前後方向スライド自在に組み込んでなる操作板３で構成してなる。【選択図】図３
0003217194.tif 000002
【実用新案登録請求の範囲】
【請求項１】
複数枚の名刺を積層状態に収納する扁平箱型の収納ケースと、前記積層名刺群をケース内上方へ押し上げる押上機構と、ケース前壁部に繰り出し孔を設けると共に、前記最上面の名刺をケース外方から操作することによって、前記最上面の名刺をケース外に繰り出す繰り出し機構とを備える名刺入れにおいて、収納ケースの下面板を開閉構造に形成し、繰り出し孔を上面板の裏面と一致させ、繰り出し機構を、収納ケースの上面板に後壁部から前壁方向へ適宜な長さで、且つケース後壁部を適宜範囲抉ってなる抉り空間を備えた操作孔部と、裏面に前記操作孔部内を移動可能に納まり、且つ前記抉り空間内に位置して装着時に上面板裏面より名刺厚以下の突出となる係止爪を備えた突出部を設け、上面板表面に前後方向スライド自在に組み込んでなる操作板で構成してなることを特徴とする名刺入れ。
【請求項２】
上面板の表面左右縁に蟻状のガイド溝を形成し、操作板の左右端を前記ガイド溝に嵌合して操作板を上面板表面に密着して装着してなる請求項１記載の名刺入れ。
【請求項３】
押上機構を、収納ケースの上下板裏面に設けた扁平磁石と、上面板方向に吸引力が作用し、下面板方向に反発力が作用する扁平磁石を設けたシート体とで構成すると共に、前記磁石位置を、操作孔部の近傍に平均的に配置してなる請求項１又は２記載の名刺入れ。
【請求項４】
下面板をヒンジ連結すると共に、前壁部下面の適宜箇所と下面板の対応箇所に吸着用小磁石を配置して開閉クリック機構を設け、上面板の表面適宜箇所と操作板の対応箇所に吸着用小磁石を配置してスライドクリック機構を設けた請求項２又は３記載の名刺入れ。
【考案の詳細な説明】
【技術分野】
【０００１】
本考案は、名刺の携帯のために使用する名刺入れにおいて、特に名刺収納ケースから名刺を１枚毎繰り出す構造を備えたものに関するものである。
【背景技術】
【０００２】
名刺収納のケースから名刺１枚を繰り出す名刺入れの基本的構成は、収納ケース内に複数枚の名刺を積層状態に収納し、前記積層名刺をケース内上方に発条又は磁石の吸引反発力で押し上げる押上機構部を備え、ケース側面の上方位置に名刺が１枚通過する繰り出し孔を設けると共に、ケース上面に底面が最上面の名刺と当接し且つ上部がケース上面に露出した操作摘みを形成した繰り出し機構部を備え、操作摘みを動作させて、最上層の名刺を繰り出し孔からケース外に露出させ、当該露出した名刺を手で取り出すようにしているものである（特許文献１，２，３，４，５，６）。
【０００３】
【特許文献１】実開昭５９−１５９３２号公報。
【特許文献２】実開昭６１−１９０２２０号公報。
【特許文献３】実開昭６２−１１９８３１号公報。
【特許文献４】登録実用新案３１０９８６０号公報。
【特許文献５】登録実用新案３１１４６０１号公報。
【特許文献６】登録実用新案３１３３２０１号公報。
【考案の開示】
【考案が解決しようとする課題】
【０００４】
前記の名刺入れの繰り出し機構は、操作摘みを動作させると、操作摘みと最上層の名刺との摩擦力で名刺が繰り出し孔より繰り出されるが、繰り出し孔の間隙を名刺１枚分の厚さとした場合には、名刺が僅かな湿気を含むことによって、取り出しができなくなる恐れがある。
【０００５】
また前記間隙に余裕を持たせると、名刺の厚さの変化に対応可能であるが、積層状態の積層名刺群を上方より押圧しながらの繰り出し操作となるので、前記押圧力によって積層名刺が互いに付着し二枚繰り出しとなる。
【０００６】
そこで本考案は、二枚繰り出しが生じない新規構造の名刺入れを提案したものである。
【課題を解決するための手段】
【０００７】
本考案の請求項１記載の名刺入れは、複数枚の名刺を積層状態に収納する扁平箱型の収納ケースと、前記積層名刺群をケース内上方へ押し上げる押上機構と、ケース前壁部に繰り出し孔を設けると共に、前記最上面の名刺をケース外方から操作することによって、前記最上面の名刺をケース外に繰り出す繰り出し機構とを備える名刺入れにおいて、収納ケースの下面板を開閉構造に形成し、繰り出し孔を上面板の裏面と一致させ、繰り出し機構を、収納ケースの上面板に後壁部から前壁方向へ適宜な長さで、且つケース後壁部を適宜範囲抉ってなる抉り空間を備えた操作孔部と、裏面に前記操作孔部内を移動可能に納まり、且つ前記抉り空間内に位置して装着時に上面板裏面より名刺厚以下の突出となる係止爪を備えた突出部を設け、上面板表面に前後方向スライド自在に組み込んでなる操作板で構成してなることを特徴とするものである。
【０００８】
而して収納ケース内に名刺を積層して収納すると、積層名刺群は押上機構によって上面板の裏面に押し付けられ、操作板を前方へスライドさせると積層名刺群の最上位置名刺の後方に位置する係止爪で前記最上位置名刺のみを押し出すので、最上位置名刺が繰り出し孔から突出し、操作板を後退させると同名刺の一部が収納ケースより露出し、ケースから引き出すことができる。
【０００９】
特に操作板による操作によって、従前の積層名刺群を押し込んで最上位置名刺との摩擦力による繰り出し構造ではなく、最上位置名刺の後縁を係止爪で引掛けて、最上位置名刺が上面板の裏面に密着した状態で押し出す構造であるから、２枚繰り出しが防止されるものである。
【００１０】
また本考案の請求項２記載の名刺入れは、上面板の表面左右縁に蟻状のガイド溝を形成し、操作板の左右端を前記ガイド溝に嵌合して操作板を上面板表面に密着して装着してなるもので、名刺繰り出し操作において操作板が上面板に密着した状態でスライド移動するので、操作板が傾くことなく、係止爪で最上位置名刺のみを押し出す。
【００１１】
また本考案の請求項３記載の名刺入れは、押上機構部を、収納ケースの上下板裏面に設けた扁平磁石と、上面板方向に吸引力が作用し、下面板方向に反発力が作用する扁平磁石を設けたシート体とで構成すると共に、前記磁石位置を、操作孔部の近傍に平均的に配置してなるもので、シート体によって積層名刺群全体が上面板方向に押し上げられ、最上位置名刺が上面板の裏面全体に密当接するので、最上位置名刺の繰り出しが確実に行われる。
【００１２】
また本考案の請求項４記載の名刺入れは、下面板をヒンジ連結すると共に、前壁部下面の適宜箇所と下面板の対応箇所に吸着用小磁石を配置して開閉クリック機構を設け、上面板の表面適宜箇所と操作板の対応箇所に吸着用小磁石を配置してスライドクリック機構を設けてなるもので、名刺のケース収納操作が容易で且つ下面板が不用意に開口することがない。また操作板も特に外部からの操作がなされない限り不要なスライド移動が生じない。
【考案の効果】
【００１３】
本考案の構成は上記のとおりで、収納ケース内の積層名刺群のうち最上位置名刺のみを係止爪で押し出すもので、摩擦を利用する繰り出し機構と異なり、２枚繰り出しを完全に防止し、１枚毎の確実な繰り出しがなされる名刺入れを提供できたものである。
【図面の簡単な説明】
【００１４】
【図１】本考案の実施形態の使用状態の説明図。
【図２】同各部材の分解斜視図（下方斜視）。
【図３】同操作板の組立説明図（装着前）。
【図４】同図（操作板装着中）。
【図５】同前面図（操作板装着状態の説明図）
【図６】同使用状態の説明図（名詞収納時の説明図）。
【図７】同断面図（名刺繰り出し前の状態）。
【図８】同図（名詞繰り出し時）。
【考案を実施するための形態】
【００１５】
次に本考案の実施形態について説明する。実施形態に示した名刺入れは、収納ケース１とシート体２と操作板３の各部材で構成される。
【００１６】
収納ケース１は、複数枚の名刺が積層状態（積層名刺群Ａ）で納まる内容積を備えた扁平箱型で、上下面板１１，１２及び各壁部（前壁部１３，後壁部１４、左右壁部１５）で形成される。
【００１７】
上面板１１は、各壁部１３，１４，１５の上面に一体に形成したもので、後壁部１４側に操作孔部１１１を設け、表面左右縁を上方へ突出させると共に、その内側面に蟻状のガイド溝１１２を形成したものである。
【００１８】
前記の操作孔部１１１は、後壁部１４側の左右中心から前壁部１３方向に適宜長さ（後述する名刺の繰り出し長さに対応）設けると共に、後壁部１４の上面の内側を適宜範囲抉った抉り空間１１３を形成したものである。また前記の操作孔部１１１の左右位置及び先方位置の３カ所に押上機構を構成する吸引用の偏平磁石１１４を設けてなる。
【００１９】
下面板１２は、前壁部１３の下方にヒンジ連結して煽り開閉自在に組み込まれ、下面板１２を閉口した際に対面する後壁部１４の下面と下面板１２の裏面にそれぞれ吸着用小磁石（開閉クリック機構）１４１，１２１を設け、また下面板１２の裏面の所定位置（後述する他の偏平磁石位置と対応する位置）には、積層名刺群Ａの押上機構を構成する偏平磁石１２２を設けてなる。
【００２０】
また前壁部１３には左右壁部１５に達すると共に、上面板１１の裏面と一致する上縁を備えた繰り出し孔１３１を設けてなる。
【００２１】
シート体２は、積層名刺群Ａと重ねて収納ケース１に納めてなるもので、一角部分を切り落として取り出し用の切欠部２１を設け、上面板１１の偏平磁石１１４とは磁気吸引作用が働き、下面板１２の偏平磁石１２２に対して磁気反発作用が働く偏平磁石２２を所定位置に設けてなる。
【００２２】
操作板３は、上面板１１と対応する大きさで、左右端をガイド溝１１２に嵌合して操作上面板１１の表面に密着して前後方向にスライド自在に組み込むので、裏面に突出部３１を設けたものである。
【００２３】
突出部３１は、操作孔部１１１における後壁部１４に近い範囲に対応する位置で、上面板１１に操作板３を重ね合わせた状態で、操作孔部１１１内を移動可能に納まると共に、抉り空間１１３内に位置して上面板１１の裏面より名刺厚以下の突出となる係止爪（係止段差）３２を設けてなる。
【００２４】
また操作板３を上面板１１の上面に装着した際に、上面板１１と一致する位置に吸着用小磁石１１５，３３を設けて、スライドクリック機構を備えるものである。
【００２５】
而して上記構成の名刺入れは、操作板３を上面板１１に装着し、操作板３と上面板１１か重なった状態（スライドクリック機構が作用している状態）で、下面板１２を開口した箇所から名刺を積層状態で収納し、積層名刺群Ａにシート体２を重ねた後、下面板１２を閉じ、下面板１２の開閉クリック機構が作用している状態で携帯するものである。
【００２６】
上記の携帯時において収納されている積層名刺群Ａは、シート体２が下面板１２との磁気反発力と上面板１１との磁気吸引力の作用によって持ち上げられて、最上位置名刺ａが上面板１１の裏面に密着している状態である。
【００２７】
そこで名刺ａを収納ケースから取り出すために、操作板３を前方にスライド操作すると、抉り空間１１３に位置する係止爪（係止段差）３２が最上位置名刺ａの外縁を係止して押し出し、最上位置名刺ａは、繰り出し孔１３１から外部に突出させられる。
【００２８】
操作板３のスライド操作は、突出部３１が操作孔部１１１の前縁に衝突すると停止するので、操作板３を後退させると、外部に突出した名刺ａを残して最初の位置（上面板１１と重なり合う位置）に戻る。この突出した名刺ａをケースから取出し名刺ａを使用するものである。
【００２９】
特に本考案は、前記の名刺繰り出し動作において、積層名刺群Ａを上方より抑え込むことが無く、最上位置名刺ａが上面板１１の裏面に密着した状態で押し出され、且つ操作板３が上面板１１と密着した状態でスライド移動するので、名刺ａを押し出す係止爪が傾くことなく、確実に１枚の名刺を繰り出すものである。
【符号の説明】
【００３０】
１      収納ケース
１１    上面板
１１１  操作孔部
１１２  ガイド溝
１１３  抉り空間
１１４  偏平磁石（押上機構）
１１５  吸着用小磁石（スライドクリック機構）
１２    下面板
１２１  吸着用小磁石（開閉クリック機構）
１２２  偏平磁石（押上機構）
１３    前壁部
１３１  繰り出し孔
１４    後壁部
１４１  吸着用小磁石（開閉クリック機構）
１５    左右壁部
２      シート体
２１    切欠部
２２    偏平磁石（押上機構）
３      操作板
３１    突出部
３２    係止爪（係止段差）
３３    吸着用小磁石（スライドクリック機構）
【図１】
0003217194.tif 000003
【図２】
0003217194.tif 000004
【図３】
0003217194.tif 000005
【図４】
0003217194.tif 000006
【図５】
0003217194.tif 000007
【図６】
0003217194.tif 000008
【図７】
0003217194.tif 000009
【図８】
0003217194.tif 000010